(57)【要約】【課題】道路の利用済金額に応じた利用可能金額の割り増しを効率的に行えるＩＣカード処理装置を提供する。【解決手段】ＩＣカードに記録された道路の利用済金額情報を読み取り、この利用済金額情報に基づいて、利用可能金額の割増金額を算出して、ＩＣカードに記憶された道路の利用可能金額情報を書き換える。ＩＣカードに記録された情報のみを用いてプレミアの付与（利用可能金額の割増）を行えるので、効率的である。【選択図】図３
2005165583.tif 000002
【特許請求の範囲】
【請求項１】
ＩＣカードから、道路の利用料金の支払いに利用可能な金額を表す利用可能金額情報、および道路の利用料金の支払いに利用済みの金額を表す利用済金額情報を読み取るカード読取部と、
前記カード読取部で読み取られた利用済金額情報に基づいて、利用可能金額の割増金額を算出する割増金額算出部と、
前記割増金額算出部で算出された割増金額に基づき、前記ＩＣカードの利用可能金額情報を書き換えるカード書換部と、
を具備することを特徴とするＩＣカード処理装置。
【請求項２】
第１のＩＣカードから、道路の利用料金の支払いに利用済みの金額を表す第１の利用済金額情報を読み取る第１のカード読取部と、
第２のＩＣカードから、道路の利用料金の支払いに利用済みの金額を表す第２の利用済金額情報、および道路の利用料金の支払いに利用可能な金額を表す利用可能金額情報を読み取る第２のカード読取部と、
前記第１、第２のカード読取部で読み取られた第１、第２の利用済金額情報に基づいて、利用可能金額の割増金額を算出する割増金額算出部と、
前記情報読取部で読み取られた利用可能金額情報および前記割増金額算出部で算出された割増金額の情報に基づき、前記第２のＩＣカードの利用可能金額情報を書き換えるカード書換部と、
を具備することを特徴とするＩＣカード処理装置。
【請求項３】
前記第１、第２の情報読取部が、前記第１、第２のＩＣカードそれぞれから、これらのＩＣカードの利用者を識別する第１、第２の利用者識別情報をさらに読み取り、
前記ＩＣカード処理装置が、前記第１、第２情報読取部で読み取られた第１、第２の利用者識別情報で表される利用者が互いに一致するか否かを判断する利用者判断部をさらに具備し、
前記利用者判断部が利用者が一致すると判断したときに、前記割増金額算出部による割増金額の算出が行われる
ことを特徴とする請求項２記載のＩＣカード処理装置。
【請求項４】
第３のＩＣカードから、道路の利用料金の支払いに利用済みの金額を表す第３の利用済金額情報を読み取る第３のカード読取部をさらに具備し、
前記割増金額算出部が、前記第１、第２、第３のカード読取部で読み取られた第１、第２、第３の利用済金額情報に基づいて、利用可能金額の割増金額を算出する
ことを特徴とする請求項２記載のＩＣカード処理装置。
【請求項５】
前記ＩＣカード処理装置が、前記利用可能金額に追加する金額を表す追加金額情報を入力する追加金額情報入力部をさらに具備し、
前記カード書換部が、前記割増金額算出部で算出された割増金額の情報、および前記追加金額情報入力部で入力された追加金額情報に基づき、前記第２のＩＣカードの利用可能金額情報を書き換える
ことを特徴とする請求項２記載のＩＣカード処理装置。
【発明の詳細な説明】
【技術分野】
【０００１】
本発明は、道路の利用料金の支払いに用いるＩＣカードを処理するＩＣカード処理装置に関する。
【背景技術】
【０００２】
高速道路等の有料道路での利用料の支払いに磁気ハイウェイカード等のプリペイドカードが用いられる。プリペイドカードには道路の利用料として利用可能な金額の情報が記憶され、道路を利用することでこの金額が書き換えられる。
プリペイドカードの購入時には、購入時に支払った金額に応じてプレミアの付与を行う場合がある。例えば、￥１００００のカードではプレミア￥５００、￥２００００のカードではプレミア￥１５００というようにプレミアの付与を行う。
なお、プリペイドカードとしてＩＣカードを用い、現金を投入してＩＣカードの金額を積み増す技術が公開されている（特許文献１参照）。
【特許文献１】特開２００２−１２３８４６、段落番号００４３
【発明の開示】
【発明が解決しようとする課題】
【０００３】
ここで、ＩＣカードに対してもプレミアを付与することが考えられる。ＩＣカードでは、カードの購入時のみならず、カード利用額に応じてプレミアを付与することができる。
この場合、ＩＣカード毎の利用額に応じてプレミアが決まるため、利用者が複数のカードを所持しているときに、利用者にとって利便性が良いとはいえない。また、例えば、プレミアの付与に際して利用額の端数が切り捨てられる場合には、カードが複数あったときの１枚毎の利用額に応じたプレミアの合計が、利用額の合計額に応じたプレミアに比べ低額となり、利用客へのサービス性が悪くなる可能性がある。
上記に鑑み、本発明は道路の利用済金額に応じた利用可能金額の割り増しを効率的に行えるＩＣカード処理装置を提供することを目的とする。
【課題を解決するための手段】
【０００４】
Ａ．上記目的を達成するために、本発明に係るＩＣカード処理装置は、ＩＣカードから、道路の利用料金の支払いに利用可能な金額を表す利用可能金額情報、および道路の利用料金の支払いに利用済みの金額を表す利用済金額情報を読み取るカード読取部と、前記カード読取部で読み取られた利用済金額情報に基づいて、利用可能金額の割り増し金額を算出する割増金額算出部と、前記割増金額算出部で算出された割増金額に基づき、前記ＩＣカードの利用可能金額情報を書き換えるカード書換部と、を具備することを特徴とする。
【０００５】
ＩＣカードに記録された道路の利用済金額情報を読み取り、この利用済金額情報に基づいて、利用可能金額の割増金額を算出して、ＩＣカードに記憶された道路の利用可能金額情報を書き換える。ＩＣカードに記録された情報のみを用いてプレミアの付与（利用可能金額の割増）を行えるので、効率的である。
【０００６】
B．本発明に係るＩＣカード処理装置は、ＩＣカード処理装置第１のＩＣカードから、道路の利用料金の支払いに利用済みの金額を表す第１の利用済金額情報を読み取る第１のカード読取部と、第２のＩＣカードから、道路の利用料金の支払いに利用済みの金額を表す第２の利用済金額情報、および道路の利用料金の支払いに利用可能な金額を表す利用可能金額情報を読み取る第２のカード読取部と、前記第１、第２のカード読取部で読み取られた第１、第２の利用済金額情報に基づいて、利用可能金額の割増金額を算出する割増金額算出部と、前記情報読取部で読み取られた利用可能金額情報および前記割増金額算出部で算出された割増金額の情報に基づき、前記第２のＩＣカードの利用可能金額情報を書き換えるカード書換部と、を具備することを特徴とする。
【０００７】
第１、第２のＩＣカードに記録された第１，第２の道路の利用済金額情報に基づいて利用可能金額の割増金額を算出し、第２のＩＣカードの道路の利用可能金額情報を書き換える。２つのＩＣカードに記録された道路の利用済金額に基づいて１つのＩＣカードの道路の利用可能金額を書き換えることから、利用済金額の合計額に応じたプレミアの付与（利用可能金額の割増）が容易となる。
【０００８】
（１）前記第１、第２の情報読取部が、前記第１、第２のＩＣカードそれぞれから、これらのＩＣカードの利用者を識別する第１、第２の利用者識別情報をさらに読み取り、前記ＩＣカード処理装置が、前記第１、第２情報読取部で読み取られた第１、第２の利用者識別情報で表される利用者が互いに一致するか否かを判断する利用者判断部をさらに具備し、前記利用者判断部が利用者が一致すると判断したときに、前記割増金額算出部による割増金額の算出が行われてもよい。
【０００９】
２つのＩＣカードに記録された利用者利用者識別情報から、利用者が一致すると判断されたときに、プレミアの付与（利用可能金額の割増）を行う。
【００１０】
（２）第３のＩＣカードから、道路の利用料金の支払いに利用済みの金額を表す第３の利用済金額情報を読み取る第３のカード読取部をさらに具備し、前記割増金額算出部が、前記第１、第２、第３のカード読取部で読み取られた第１、第２、第３の利用済金額情報に基づいて、利用可能金額の割増金額を算出してもよい。
３つのＩＣカードに記録された道路の利用済金額に基づいて１つのＩＣカードの道路の利用可能金額を書き換えることから、利用済金額の合計額に応じたプレミアの付与（利用可能金額の割増）がより容易となる。
【００１１】
（３）前記ＩＣカード処理装置が、前記利用可能金額に追加する金額を表す追加金額情報を入力する追加金額情報入力部をさらに具備し、前記カード書換部が、前記割増金額算出部で算出された割増金額の情報、および前記追加金額情報入力部で入力された追加金額情報に基づき、前記第２のＩＣカードの利用可能金額情報を書き換えてもよい。
プレミアの付与（利用可能金額の割増）とチャージ（利用可能金額の追加）とを同時に行うことができるので、利用者の利便性が向上する。
なお、利用可能金額の追加は、利用者がＩＣカード処理装置に金銭やクレジットカード等を用いて入金することで行える。
【発明の効果】
【００１２】
本発明によれば道路の利用済金額に応じた利用可能金額の割り増しを効率的に行えるＩＣカード処理装置を提供できる。
【発明を実施するための最良の形態】
【００１３】
以下、図面を参照して、本発明の実施の形態を詳細に説明する。
図１は本発明の一実施形態に係るＩＣカード入金装置１０を表す模式図である。
ＩＣカード入金装置１０は、ＩＣカード処理装置として機能し、道路の利用料金の支払いに用いるＩＣカード２０への利用可能金額への追加および利用済金額に応じた利用可能金額の割り増し（プレミアの付与）を行える。ＩＣカード入金装置１０は、料金所や高速道路のサービスエリア、パーキングエリアに設置され、ＩＣカード２０の発売を併せて行ってもよい。
ＩＣカード入金装置１０は、制御部１１，ＩＣカード読取／書込部１２，ＩＣカード搬送部１３，表示部１４，接客部１５，紙幣処理部１６，硬貨処理部１７から構成される。
【００１４】
制御部１１は、ＩＣカード入金装置１０全体の動作を制御する中央演算装置（ＣＰＵ）である。
ＩＣカード読取／書込部１２は，ＩＣカード２０からの情報の読み取り、書き込みを行うリーダ／ライタである。この読み取り／書き込みは、接触式（ＩＣカード２０に備えられた電極等を介して情報を伝達する）、非接触式（ＩＣカード２０との無線で情報を伝達する）のいずれで行っても良い。
ＩＣカード搬送部１３は，図示しないＩＣカード投入口とＩＣカード読取／書込部１２との間でＩＣカードを搬送する。利用者によってＩＣカード投入口に投入されたＩＣカード２０はＩＣカード搬送部１３によってＩＣカード読取／書込部１２に搬送され、情報の読取／書込が行われた後に、ＩＣカード投入口に戻される。
表示部１４は，利用者に各種の情報を伝達するための表示を行う表示手段、例えば、ＣＲＴ、液晶ディスプレイである。
接客部１５は，利用者が各種の情報入力を行うための入力装置、例えば、タッチディスプレイ、キーボードである。
紙幣処理部１６は，利用者から紙幣の受取／返却を行うための装置である。
硬貨処理部１７，利用者から硬貨の受取／返却を行うための装置である。
【００１５】
図２は、ＩＣカード２０の記憶内容の一例を表す模式図である。
図２に示すようにＩＣカード２０には、カード識別情報、利用者識別情報、利用済金額情報、利用可能金額情報が記憶される。
カード識別情報は、ＩＣカード２０を互いに識別するための情報、例えば、カード番号である。
【００１６】
利用者識別情報は、ＩＣカード２０の利用者を互いに識別するための情報、例えば、利用者番号、氏名、生年月日、性別、暗証番号等である。利用者識別情報で表される利用者は、プレミアを付与する範囲を規定する。即ち、複数のＩＣカード２０で利用者識別情報が一致すれば、これら複数のＩＣカード２０での利用済金額の合計に対してプレミアの付与（利用可能金額の割り増し）が行われる。
この利用者は、自然人に限らず、法人、組織一般等広義に解釈することが可能である。例えば、特定の法人で利用されたＩＣカード２０の利用済金額の合計に対してプレミアの付与を行ってもよい。
利用者識別情報のＩＣカード２０への書き込みはＩＣカード２０を購入する際に行うことができる。例えば、ＩＣカード２０をＩＣカード発売機で購入する際に、利用者がＩＣカード発売機に入力した情報に基づいて、ＩＣカード発売機等がＩＣカード２０に利用者識別情報を書き込む。
なお、この利用者識別情報がＩＣカード２０に記録されていなくても差し支えない。この場合でもＩＣカード２０の１枚単位でプレミアの付与を行うことができる。
【００１７】
利用済金額情報は、ＩＣカード２０で道路の通行に利用済みの金額（利用済金額）を表す情報である。この利用済金額情報は、ＩＣカード２０が用いられる度に書き込まれる。例えば、高速道路の料金所にＩＣカードの読取／書込装置を設置しておき、ＩＣカードが用いられる度に読取／書込装置を用いて、このＩＣカード２０に累積利用額を書き込めばよい。
利用可能金額情報は、ＩＣカード２０で道路の通行に利用可能な金額（利用可能金額）を表す情報である。即ち、利用可能金額はＩＣカード２０に入金された金額の残金を意味する。
【００１８】
（ＩＣカード入金装置１０の動作）
図３は、ＩＣカード入金装置１０の動作手順の一例を表すフロー図である。以下、図３に基づき、ＩＣカード入金装置１０の動作手順を説明する。
（１）利用者がＩＣカード入金装置１０の投入口にＩＣカード２０を投入する（ステップＳ１１）。
投入されたＩＣカード２０はＩＣカード搬送部１３によってＩＣカード読取／書込部１２に搬送される。
【００１９】
（２）ＩＣカード読取／書込部１２は、ＩＣカード２０から、利用者識別情報、利用可能金額情報、利用済金額情報を読み取る（ステップＳ１２）。これらの情報は制御部１１のメモリに記憶される。なお、利用者識別情報がＩＣカード２０に記憶されていない場合は、利用者識別情報自体は読み取られない。
（３）接客部１５から次のＩＣカード２０が有るか否かを表すカード有無情報が入力される（ステップＳ１３）。利用者にこの入力を促すために、次のＩＣカード有／無の選択入力待ちであることが表示部１４に表示される。
【００２０】
（４）ステップＳ１３で入力されたカード有無情報が次のＩＣカード２０が無いことを表す場合には、読み取られた利用済金額情報に基づく道路の利用可能金額への割増金額の算出（プレミアの算定）が行われる（ステップＳ１４，Ｓ１５）。ここでは１枚のＩＣカード２０での利用済金額情報に基づきプレミアが算定される。
なお、利用済金額の全てをプレミアの付与に用いなくてもよく、利用済金額の一部をプレミアの付与に用いることも可能である。このときには、利用者にプレミアの付与に用いる利用済金額の範囲を選択させることができる。
【００２１】
（５）接客部１５から道路の通行への利用可能金額の追加金額（増額、積み増し）の金額が入力される（ステップＳ１６）。いわゆるチャージ処理のための情報入力である。利用者にこの入力を促すために、利用可能金額の追加金額入力待ちであることが表示部１４に表示される。増額を行わない場合には、追加金額が０となる。
この入力に対応して、紙幣処理部１６，硬貨処理部１７から紙幣、硬貨が投入され、追加金額に相当する支払いが行われる。なお、この支払いはクレジットカード等の現金以外の手段で行われても差し支えない。
【００２２】
（６）ステップＳ１２で読み取られた利用可能金額に、ステップ１５で算出された割増金額、およびステップ１６で入力された割増金額が加算される（ステップＳ１７）。
ＩＣカード２０の利用可能金額情報、利用済金額情報がＩＣカード読取／書込部１２により書き換えられる（ステップＳ１８）。即ち、利用可能金額がステップＳ１７で算出（加算）された利用可能金額に書き換えられる。また、ステップＳ１５での割増金額の算出に利用された利用済金額に対応する金額が利用済金額から引き去られる。利用済金額の全てがプレミアの付与に用いられれば、利用済金額は０となる。
【００２３】
（７）ステップＳ１８で情報が書き換えられたＩＣカード２０はＩＣカード搬送部１３によってＩＣカード読取／書込部１２からＩＣカード投入口に搬送され、利用者に返却される（ステップＳ１９）。
以上のように、チャージ処理の際に、１枚のＩＣカード２０の利用済金額に応じてプレミアが付与される。
【００２４】
（８）ステップＳ１３で入力されたカード有無情報が次のＩＣカード２０が無いことを表す場合には、ＩＣカード２０の利用済金額情報がＩＣカード読取／書込部１２により書き換えられる（ステップＳ２１）。
これは、複数のＩＣカード２０の利用済金額情報の合計に対してプレミアを付与するための前処理である。プレミアの付与に用いられる利用済金額を元の利用済金額から減算して、利用済金額に対して複数のプレミアが付与されること（プレミアの多重付与）を防止するためである。利用済金額の減算を行わないと、このＩＣカードの利用済金額がプレミアの付与に再利用される。
ステップＳ２１で情報が書き換えられたＩＣカード２０はＩＣカード搬送部１３によってＩＣカード読取／書込部１２からＩＣカード投入口に搬送され、利用者に返却される（ステップＳ２２）。
【００２５】
（９）次のＩＣカード２０がＩＣカード入金装置１０の投入口に投入される（ステップＳ２３）。投入されたＩＣカード２０はＩＣカード搬送部１３によってＩＣカード読取／書込部１２に搬送される。
（１０）ＩＣカード読取／書込部１２は、ＩＣカード２０から、利用者識別情報、利用可能金額情報、利用済金額情報を読み取る（ステップＳ２４）。これらの情報は制御部１１のメモリに記憶される。
（１１）ステップＳ１２、Ｓ２４で読み取った利用者識別情報を照合し、利用者が一致するか否かが判断される（ステップＳ２５）。
【００２６】
（１２）利用者が一致したときにはステップＳ１２、Ｓ２４で読み取った利用済金額の合計が算出され（ステップＳ２６）、ステップＳ１３に戻ってカード有無情報が入力される。
このカード有無情報が次のＩＣカード２０が無いことを表す場合には、ステップＳ２６で算出された利用済金額の合計に基づき道路の利用可能金額への割増金額の算出（プレミアの算定）が行われる（ステップＳ１５）。
この結果、チャージ処理の際に、ステップＳ２５で利用者が一致すると判断された複数枚のＩＣカード２０の利用済金額の合計に応じてプレミアが付与される（ステップＳ１６〜Ｓ１９）。この処理はＩＣカード２０の枚数が３枚以上の場合でも同様に行われる。
【００２７】
（１３）ステップＳ２５で利用者が一致しないと判断されたときには、ＩＣカード２０が利用者に返却される（ステップＳ２７）。即ち、ＩＣカード２０がＩＣカード搬送部１３によってＩＣカード読取／書込部１２からＩＣカード投入口に搬送される。
その後、表示部１４にＩＣカード２０の利用者が一致しないため新たなＩＣカード２０を入力する指示が表示される（ステップＳ２８）。
その後、ステップＳ２３に戻り、この指示に従って利用者がＩＣカード２０を投入することで、利用者の一致、不一致の判断が行われる（ステップＳ２４、Ｓ２５）。利用者が一致したときにはステップＳ１２、Ｓ２４で読み取った利用済金額の合計が算出され（ステップＳ２６）、複数枚のＩＣカード２０の利用済金額の合計に応じてプレミアが付与される（ステップＳ１３〜Ｓ１９）。
【００２８】
なお、利用者の誤認等によりステップＳ２３で投入する新たなＩＣカード２０がない（少なくとも利用者が一致するＩＣカード２０がない）場合があり得る。この場合には、ステップＳ２３において、一旦投入してステップＳ２１で利用済金額情報の書き換えが行われたＩＣカード２０を再投入すればよい。この場合には、ステップＳ２６で利用者が一致することから、ステップＳ２７で利用済金額の合計が算出されることになるが、再投入されたＩＣカード２０の利用済金額はステップＳ２１で書き換え（減算）られた後なので、利用済金額の合計が増えることがない。即ち、この再投入によってプレミアの付与を正常に行える（プレミアの多重付与がない）。
【００２９】
以上のように、利用者識別情報が合致するＩＣカード２０の利用済金額の合計に応じてプレミアを算定し、１枚のＩＣカード２０にまとめることができる。利用者がチャージを選択すると、チャージ額にプレミア分増額するなどプレミアを反映したチャージをおこなうことができる。
例えば、利用額（道路支払額：対距離方式）に応じてプレミアを決めるシステムにおいて、利用者が複数の利用済みのＩＣカード２０を所持している場合に、ＩＣカード入金装置による入金（チャージ）の際に、それら複数のカードの利用額の合計に応じてプレミアを算出し１枚のＩＣカードにプレミアをまとめることができる。この結果、利用者の利便性向上を図ることができる。
【００３０】
（その他の実施形態）
本発明の実施形態は上記の実施形態に限られず拡張、変更可能であり、拡張、変更した実施形態も本発明の技術的範囲に含まれる。
上記実施形態では、プレミアの付与に対応して利用済金額情報の書き換えを行っているが、必ずしも利用済金額情報の書き換えを行わなくてもよい。例えば、ＩＣカードにプレミアの付与に用いた利用済金額の情報（プレミア付与情報）を利用済金額情報とは別途に記憶させることができる。利用済金額情報とプレミア付与情報の双方からプレミアの付与に用いられていない利用済金額を算出し、これに基づいてプレミアを付与することができる。
【図面の簡単な説明】
【００３１】
【図１】本発明の一実施形態に係るＩＣカード入金装置を表す図である。
【図２】ＩＣカードの記憶内容の一例を表す模式図である。
【図３】ＩＣカード入金装置の動作手順の一例を表すフロー図である。
【符号の説明】
【００３２】
１０…ＩＣカード入金装置、１１…制御部、１２…ＩＣカード読取／書込部、１３…ＩＣカード搬送部、１４…表示部、１５…接客部、１６…紙幣処理部、１７…硬貨処理部、２０…ＩＣカード
【図１】
2005165583.tif 000003
【図２】
2005165583.tif 000004
【図３】
2005165583.tif 000005